(57)【要約】【課題】ドリンクと食事を家で楽しみたいというユーザのニーズに応えることができるビジネスを実現する。【解決手段】オンライン飲み会等のために注文された飲食物、例えば焼き鳥、つまみ折詰セット等のパックＹ、Ｓと、お茶づけのカップＯ、ビール缶Ｄを、１以上の飲み会の参加者（ユーザ）の夫々の家Ｒ１乃至Ｒｎに配送するためにフードボックスＰ１乃至Ｐｎにパッケージングする。この際、フードボックスＰ１乃至Ｐｎの夫々の下面の側に３缶のビール缶Ｄを配置し、３缶のビール缶Ｄの上につまみ折詰セットや焼き鳥のパックＹ、Ｓを重ねて配置する。そして、上記飲食物を同梱したフードボックスＰ１乃至Ｐｎを、保冷車Ｔで例えば２乃至５°Ｃ以下の保冷温度を維持しながら常温のユーザの家Ｒ１乃至Ｒｎの夫々に配送し、オンライン飲み会の開催時刻まで保管し、開催時刻の直前に開封して飲食を楽しみながらオンライン飲み会を開催することができる。【選択図】図１
2022002095.tif 000002
【特許請求の範囲】
【請求項１】
飲食物を、第１温度以下で維持しながら移動体で配送して、第１温度よりも高い第２温度の配送先で配置する飲食物配送方法において、
衛生領域にて、配送対象の飲物が夫々封入されたＮ個（Ｎは１以上の整数値）の第１包装と、配送対象の食べ物が封入されたＭ個（Ｍは１以上の整数値）の第２包装とを用意する飲食物用意ステップと、
衛生領域にて、配送用の容器が配送先で配置される側を下面として、当該容器に対して、前記Ｍ個の第２包装のうち少なくとも一部の下に、前記Ｎ個の第１包装のうち少なくとも１つを配置させることで、前記第１包装の高さ以上の距離だけ前記下面から離間して前記Ｍ個の第２包装のうち少なくとも一部を配置させた状態で、前記容器をパッケージするパッケージステップと、
前記Ｎ個の第１包装の夫々に封入された前記飲物を前記第１温度以下で維持させることが可能な前記移動体で、前記容器を前記配送先まで配送する配送ステップと、
前記第Ｎ個の第１包装の夫々を保冷剤として機能させながら、前記第２温度の配送先で配置する配置ステップと、
を含む飲食物配送方法。
【請求項２】
前記パッケージステップにおいて、さらに、前記Ｎ個の第１包装のうち少なくとも１つを、前記Ｍ個の第２包装の上に配置させる、
請求項１に記載の飲食物配送方法。
【請求項３】
前記第１包装は、
前記配送ステップにおける配送にかかる第１時間の間に、前記Ｎ個の第１包装の夫々に封入された前記飲物が前記第１温度以下になり、
かつ、
前記配置ステップにおける配置にかかる第２時間の間に、前記Ｎ個の第１包装の夫々に封入された前記飲物が前記第２温度以上とならない熱伝導率を有する、
請求項１に記載の飲食物配送方法。
【請求項４】
衛生領域にて配送対象の飲物が夫々封入されたＮ個（Ｎは１以上の整数値）の第１包装と、
前記衛生領域にて配送対象の食べ物が封入されたＭ個（Ｍは１以上の整数値）の第２包装と、
配送用の容器と、
を備え、
前記衛生領域において、前記容器が配送先で配置される側を下面として、当該容器に対して、前記Ｍ個の第２包装のうち少なくとも一部の下に、前記Ｎ個の第１包装のうち少なくとも１つが配置されることで、前記第１包装の高さ以上の距離だけ前記下面から離間して前記Ｍ個の第２包装のうち少なくとも一部を配置させた状態で、前記容器がパッケージされることで生成される、
飲食物配送セットであって、
前記Ｎ個の第１包装の夫々に封入された前記飲物を前記第１温度以下で維持させることが可能な前記移動体で、前記容器が前記配送先まで配送された後、前記第１温度より高い前記第２温度の配送先で配置された場合において、前記第Ｎ個の第１包装の夫々は保冷剤として機能する、
飲食物配送セット。
【請求項５】
さらに、前記容器において、前記Ｎ個の第１包装のうち少なくとも１つが、前記Ｍ個の第２包装のうち少なくとも一部の上に配置されている、
請求項４に記載の飲食物配送セット。
【請求項６】
前記第１包装は、
前記配送にかかる第１時間の間に、前記Ｎ個の第１包装の夫々に封入された前記飲物が前記第１温度以下になり、
かつ、
前記配置にかかる第２時間の間に、前記Ｎ個の第１包装の夫々に封入された前記飲物が前記第２温度以上とならない熱伝導率を有する、
請求項４に記載の飲食物配送セット。
【発明の詳細な説明】
【技術分野】
【０００１】
本発明は、飲食物配送方法及び飲食物配送セットに関する。
【背景技術】
【０００２】
昨今の社会情勢によるいわゆるソーシャルディスタンスの要請や、人々のライフスタイルの多様性の高まりから、複数の者がインターネットを介して会話をする場が増加しており、このような場を支援する技術も提案されている（例えば特許文献１参照）。
特に、複数の者がインターネットを介して、飲食物を摂取しながら会話する場は、「オンライン飲み会」や「オンラインパーティー」と呼ばれており、夫々の者の家で、会話をしながらドリンクと食事を楽しみたいというニーズが高まっている。
【先行技術文献】
【特許文献】
【０００３】
【特許文献１】特開２０１９−１４９７４６号公報
【発明の概要】
【発明が解決しようとする課題】
【０００４】
このようなニーズから、ドリンクや食事の手配を支援する上で、食材の用意から、調理、調理済みの飲食物をパッケージング、各自の家に配送、その後の食事の時刻までの保管等を含む過程の中で、飲食物の品質を保証することが難しく、ユーザに保冷管理を義務付ける必要があり、ドリンクと食事を家で楽しみたいというユーザのニーズに十分応えるまでには至っていない。
【０００５】
本発明は、このような状況に鑑みてなされたものであり、ドリンクと食事を家で楽しみたいというユーザのニーズに応えることができるビジネスを実現することができるようにする。
【課題を解決するための手段】
【０００６】
上記目的を達成するため、本発明の一態様の飲食物配送方法は、
飲食物を、第１温度以下で維持しながら移動体で配送して、第１温度よりも高い第２温度の配送先で配置する飲食物配送方法において、
衛生領域にて、配送対象の飲物が夫々封入されたＮ個（Ｎは１以上の整数値）の第１包装と、配送対象の食べ物が封入されたＭ個（Ｍは１以上の整数値）の第２包装とを用意する飲食物用意ステップと、
衛生領域にて、配送用の容器が配送先で配置される側を下面として、当該容器に対して、前記Ｍ個の第２包装のうち少なくとも一部の下に、前記Ｎ個の第１包装のうち少なくとも１つを配置させることで、前記第１包装の高さ以上の距離だけ前記下面から離間して前記Ｍ個の第２包装のうち少なくとも一部を配置させた状態で、前記容器をパッケージするパッケージステップと、
前記Ｎ個の第１包装の夫々に封入された前記飲物を前記第１温度以下で維持させることが可能な前記移動体で、前記容器を前記配送先まで配送する配送ステップと、
前記第Ｎ個の第１包装の夫々を保冷剤として機能させながら、前記第１温度より高い前記第２温度の配送先で配置する配置ステップと、
を含む。
【０００７】
また、本発明の一態様の飲食物配送セットは、
衛生領域にて配送対象の飲物が夫々封入されたＮ個（Ｎは１以上の整数値）の第１包装と、
衛生領域にて配送対象の食べ物が封入されたＭ個（Ｍは１以上の整数値）の第２包装と、
配送用の容器と、
を備え、
衛生領域において、前記容器が配送先で配置される側を下面として、当該容器に対して、前記Ｍ個の第２包装のうち少なくとも一部の下に、前記Ｎ個の第１包装のうち少なくとも１つが配置されることで、前記第１包装の高さ以上の距離だけ前記下面から離間して前記Ｍ個の第２包装のうち少なくとも一部を配置させた状態で、前記容器がパッケージされることで生成される、
飲食物配送セットであって、
前記Ｎ個の第１包装の夫々に封入された前記飲物を前記第１温度以下で維持させることが可能な前記移動体で、前記容器が前記配送先まで配送された後、前記第１温度より高い前記第２温度の配送先で配置された場合において、前記第Ｎ個の第１包装の夫々は保冷剤として機能する。
【発明の効果】
【０００８】
本発明によれば、ドリンクと食事を家で楽しみたいというユーザのニーズに応えることができるビジネスを実現することができる。
【図面の簡単な説明】
【０００９】
【図１】本発明の飲食物配送方法に係る一実施形態を示す図である。
【図２】本発明の飲食物配送セットの構成要素の一実施形態としての、オンライン飲み会の飲食物セットの一例を示す図である。
【図３】本発明の飲食物配送セットの一実施形態に係るフードボックスの構成例を示す図である。
【図４】ドリンクあり／なしの状態で夫々梱包したパッケージの温度変化を実測した実測データＫ１とそのグラフを示す図である。
【図５】違う大きさのパッケージ（基本セットの通常のサイズの箱（通常サイズ）とそれよりも大きなサイズの箱（箱大））で温度変化を測定した実測データＫ２とグラフを示す図である。
【図６】ドリンクの数を変えて（通常のドリンク３本のセット（通常）と通常よりもドリンクの本数が少ないセット（１本）で）温度変化を測定した実測データＫ３とグラフを示す図である。
【図７】ドリンクの数を変えて（通常のドリンク３本のセット（通常）と通常よりもドリンクの本数が少ないセット（２本）で）温度変化を測定した実測データＫ４とグラフを示す図である。
【図８】ドリンクの配置の仕方を変えて（通常のドリンク３本を箱の底面側に配置したセット（通常）とドリンク２本を底面側に配置し残りの１本を食べ物の上に配置した場合（１本配置換え））温度変化を測定した実測データＫ５とグラフを示す図である。
【図９】パッケージの封止の仕方を変えて（通常のテーピングによる固着（通常）と、ボンドによる固着（ボンド）で）温度変化を測定した実測データＫ６とグラフを示す図である。
【図１０】パッケージの中に保冷剤を５個入れた場合（保冷剤５個）と、保冷剤を入れない場合（通常）とで夫々飲食物セットを梱包したパッケージの温度変化を実測した実測データＫ７とそのグラフを示す図である。
【図１１】食品自体の温度変化を測定した実測データＫ８を示す図である。
【発明を実施するための形態】
【００１０】
以下、本発明の実施形態について説明する。
本発明の飲食物配送方法に係る一実施形態について説明する。
図１は、本発明の飲食物配送方法に係る一実施形態を示す図である。
【００１１】
本実施形態の飲食物配送方法は、例えばオンライン飲み会等の際に、オンライン飲み会に参加するｎ人（ｎは１以上の整数値）のユーザの夫々の家Ｒ１乃至Ｒｎにおいて飲食されるドリンクと食事のセット、例えば焼き鳥セット、つまみ折詰セット、お茶づけセット、箸、スプーン、ビール等を、ｎ人のユーザの夫々の家Ｒ１乃至Ｒｎに配送する方法である。
ここで、このようなドリンクと食事のセットを、以下「オンライン飲み会キット」と適宜呼ぶ。オンライン飲み会キットは、ｎ人のユーザ毎に夫々、段ボール箱等の配送用容器Ｐ１乃至Ｐｎの夫々に梱包されて配送される。以下、オンライン飲み会キットが梱包された配送用容器Ｐ１乃至Ｐｎを、「フードボックスＰ１乃至Ｐｎ」と適宜呼ぶ。フードボックスＰ１乃至Ｐｎは、例えば２乃至５°Ｃ以下の保冷温度で維持されながら（即ち冷凍ではなく冷蔵状態で）保冷車Ｔで配送されて、ユーザの夫々の家Ｒ１乃至Ｒｎにおいて保管される。ここで、フードボックスＰ１乃至Ｐｎは、最終的には冷蔵庫等で保管されることになるが、配送されてから一定時間（例えば２〜３時間、保冷温度よりも高い温度、例えば２０°Ｃ等の場所で放置されることも多い。そこで、本実施形態の飲食物配送方法は、この一定時間の放置があることが前提とされている。
【００１２】
具体的には例えば、本実施形態の飲食物配送方法は、注文ステップＳ１と、飲食物用意ステップＳ２Ａ、Ｓ２Ｂと、パッケージステップＳ２Ｃと、配送ステップＳ３と、保管ステップＳ４と、を有する。
【００１３】
注文ステップＳ１において、オンライン飲み会に参加するｎ人のユーザのうち例えば幹事等の所定ユーザは、例えばパーソナルコンピュータやスマートフォン等の情報処理装置Ａや電話等で、ｎ人分のオンライン飲み会キットを、所定の日時までにｎ人のユーザの家Ｒ１乃至Ｒｎの夫々に配送するように注文する。
具体的には例えば、オンライン飲み会が開催される前の所定のタイミングで、情報処理装置Ａは、オンライン飲み会を支援する所定の飲食物注文サイトにアクセスし、所定ユーザの操作に基づいて、オンライン飲み会キットを、オンライン飲み会が開催される前までにｎ人のユーザの夫々の家Ｒ１乃至Ｒｎに配送されるように注文する。
なお、ここでは説明の便宜上、所定ユーザによりｎ人分の注文がなされるとしているが、当然ながら、ｎ人のユーザの夫々により個別に注文が行われてもよい。
【００１４】
飲食物注文サイトにおいて注文を受けたサービス提供者は、受注したｎ人分のオンライン飲み会キットを、衛生領域Ｂにおいて用意する。ここで、衛生領域Ｂは、例えば食品工場内の衛生管理が行き届いた調理室等である。
【００１５】
具体的には例えば、飲食物用意ステップＳ２Ａでは、衛生領域Ｂにて、例えばビール等の液体飲料が夫々封入されたアルミニウム製の缶Ｄ（以下これを「ビール缶Ｄ」と呼ぶ）が、１人分あたりＮ本（Ｎは１以上の整数値であり、本例ではＮ＝３）用意される。なお、ドリンクは、当然ながらビールに限定されないが、ここでは理解を容易なものとすべく、３５０ｍｌの外形６．６ｃｍのビール缶Ｄで用意されるものとする。
【００１６】
飲食物用意ステップＳ２Ｂにおいて、衛生領域Ｂにて、配送対象の食べ物のセットが封入されたパックが１人分あたりＭ個用意される。ここで、Ｍは１以上の整数値であり、本例ではＭ＝３である。具体的には例えば本例では、焼き鳥セットのパックＹ、つまみ折詰セットのパックＳ、お茶づけセットのパックＯが、１人分として用意される。この他、箸、スプーン、紙ナプキン等のセット（箸セット）を含む付帯パックＣも、１人分として用意される。
【００１７】
パッケージステップＳ２Ｃにおいて、衛生領域Ｂにて、ユーザの家Ｒｋ（ｋは１乃至ｎのうちの何れかの整数値）に配送されるフードボックスＰｋが次のようにして生成される。なお、以下、フードボックスＰｋが家Ｒｋの地面Ｅｋに対して配置される側の面を「下面」と呼ぶ。
即ち、配送用容器Ｐｋに対して、食べ物のパック（例えばパックＹ、Ｓ、Ｃ）の下に、３本のビール缶Ｄのうち少なくとも１本を配置させることで、ビール缶Ｄの高さ以上の距離（ビール缶Ｄを横置きした高さ（ビール缶の外径）６．６ｃｍ（約７ｃｍ）等）だけ下面から離間して食べ物のパックが配置される。このような配置状態を維持するように配送用容器Ｐｋがパッケージされることで、フードボックスＰｋが生成される。
【００１８】
配送ステップＳ３において、フードボックスＰ１乃至Ｐｎは、保冷車Ｔにより、ユーザの夫々の家Ｒ１乃至Ｒｎの夫々に配送される。なお、フードボックスＰ１乃至Ｐｎは必ずしも１台の保冷車Ｔによりまとめて配送される必要はなく、複数台の保冷車Ｔにより分配されて配送されてもよい。
ここで、保冷車Ｔは、その配送期間の間、フードボックスＰ１乃至Ｐｎ内に存在するビール缶Ｄに封入された内容物のビールを、例えば２乃至５°Ｃ以下で維持させることが可能な機能を有しているものとする。
【００１９】
保管ステップＳ４において、保冷車Ｔにより配送されたフードボックスＰ１乃至Ｐｎの夫々は、ユーザの家Ｒ１乃至Ｒｎの夫々において保管される。ここで、ユーザの家Ｒ１乃至Ｒｎの夫々の床面・地面Ｅ１乃至Ｅｎの夫々の上に、一定時間（例えば２〜３時間）２０°Ｃ等の常温で、フードボックスＰ１乃至Ｐｎの夫々が放置された場合には、フードボックスＰ１乃至Ｐｎの夫々に内蔵されたビール缶Ｄは保冷材として機能することになる。
【００２０】
このような本実施形態の飲食物配送方法は、次のような第１効果乃至第３効果を奏することができる。
なお、以下、配送される家Ｒ１乃至Ｒｎを個々に区別する必要がない場合、これらをまとめて「家Ｒ」と呼ぶ。この場合には、「フードボックスＰ」や「床面・地面Ｅ」のように、符号１乃至ｎについては略記するものとする。
【００２１】
第１効果は、感染リスク低減の効果である。
即ち、コロナ禍でも食事や飲み会を皆で楽しみたいニーズがある。
しかしながら、コロナ禍では、皆が集まっての外食は難しく、飲食物を小売店で購入するにも小売店まで出向く必要があり、接触感染のリスクがある。
そこで、本実施形態の飲食物配送方法では、食べ物とドリンクが用意されるステップＳ２Ａ，Ｓ２Ｂ及び食べ物とドリンクが配送用容器Ｐに収容されてパッケージされることでフードボックスＰが生成されるステップＳ２Ｃは、衛生領域Ｂにて行われる。そして、配送のステップＳ３から保管のステップＳ４では、フードボックスＰという形態でダイレクトに配送されるので、食べ物やドリンクが人手に触れることはない。このように、注文がなされるステップＳ１の後、ステップＳ１乃至Ｓ４までの一連の工程で、食べ物とドリンク（飲物）が衛生領域（工場やセントラルキッチン等）で調理され、パッキングされ、保冷車Ｔにより冷蔵温度で保冷された状態で、家Ｒ（個人宅やオフィス）にダイレクトで配送される。飲物をのみものと読む。
この結果、人同士の接触による感染リスクを最小限に抑え、各個人宅やオフィスにおいて食事や飲み会を皆で楽しみたいというユーザのニーズに応えることができる、という第１効果、即ち感染リスク低減の効果を奏することが、本実施形態の飲食物配送方法の効果と言える。
【００２２】
第２効果は、汚染及び地熱伝達防止の効果である。
食べ物が収容された配送用容器に関する懸念材料を分析すると、配送時に配送容器が床面・地面Ｅに直に配置されることが予想される。このため、紙素材の配送用容器では床面・地面Ｅから汚れが当該配送用容器内に浸透して、食べ物へ伝わる汚染が心配される。
そこで、本実施形態の飲食物配送方法では、フードボックスＰ内において、少なくとも一部のドリンク（飲物）が下面に寝かせて配置され、そのドリンク（飲物）の上に食べ物が配置される。これにより、地面Ｅから食べ物までの間に一定の距離が取られるので、床面・地面Ｅから伝わる汚れによる食品汚染のリスクを低減することが可能になる。
また、ドリンク（飲物）の上に食べ物が配置されて、床面・地面Ｅから食べ物までの間に一定の距離が取られるので、床面・地面Ｅからの食べ物への熱の伝達を防止することができ、後述の第３効果と相まって食べ物の劣化を防止することが可能になる。
このような効果が、第２効果、即ち汚染及び地熱伝達防止の効果である。
【００２３】
第３効果は、保冷効果である。
従来から、食べ物が収容された配送用容器（従来のフードボックス）を配送するサービスは存在する。このサービスの顧客動向を分析したところ、従来の配送容器の配送先（家やオフィス等）において、従来の配送用容器から取り出された食べ物が家の冷蔵庫に入りきらなかったり、オフィスに冷蔵庫がない等の理由から、従来の配送容器のみならず、フードボックスＰについても常温保管（２乃至３時間程度）が発生する傾向がある。
また、配送会社による従来のフードボックスの持ち帰りも日常的に発生しており、炎天下では、持ち戻りの僅かな時間が食べ物へダメージを与えることが懸念される。
そこで、本実施形態の飲食物配送方法では、保冷車Ｔで冷やしたドリンク（飲物）を食べ物と同梱することで、箱内を保冷し、食事の品質を維持（劣化を防止）することができる。
このような効果が、第３効果、即ち保冷効果である。
【００２４】
なお、本実施形態の飲食物配送方法は、上述のステップＳ３に示すように、冷凍の手法は用いずに冷蔵の手法を用いている。これは次の理由による。
即ち、飲食物の配送や保管の保証という点で、冷凍搬送や冷凍保存が考えられるが、飲食物が冷凍されていた場合、オンライン飲み会等では、以下のような問題があり、冷凍は好ましくない。
例えば冷凍された飲食物は解凍に時間がかかるため、所定の時間から一斉に会を始めるオンライン飲み会では、すぐに始められない者が出る。また、ドリンクと食事をセットで届けるところに利便性があるのに対して、搬送時にセットで冷凍されてしまうと、ドリンクの方が、冷凍による体積膨張のため破損する恐れがある。
【００２５】
ここで、図２を参照して飲食物セットについて説明する。
図２は、本発明の飲食物配送セットの構成要素の一実施形態としての、オンライン飲み会の飲食物セットの一例を示す図である。
図２に示すように、例えばスタンダードプランの飲食物セットは、焼き鳥セットのパックＹ、つまみ折詰セットのパックＳ、お茶漬けセットのパックＯ、箸及びスプーンのセットのパックＣ、３缶のビール缶Ｄ等で構成される。
飲食物セットは、例えば食品加工工場内の衛生領域で調理、加工され、パッケージングされる。
即ち、ビール缶Ｄが、衛生領域Ｂにて配送対象の飲物が夫々封入された第１包装の一例である。
パックＹ、パックＳ、及びパックＯが、衛生領域Ｂにて配送対象の食べ物が封入された第２包装の一例である。
パックＹに含まれる焼き鳥セットは、ピンチョス４本を並べて保冷バック又は真空パックに収容したセットである。
パックＳに含まれるつまみ折詰セットは、区画された重箱風の容器にアラカルト９種の料理（小鉢程度）を詰め合わせたものである。
パックＯに含まれるお茶漬けセットは、電子レンジで加熱するだけでそのままお茶漬けとして食べることができるものである。
パックＣに含まれる箸セットは、箸、スプーン、紙ナプキン等である。
ビール缶Ｄは、内容量が３５０ｍｌの缶ビールであり、高さ１２．２ｃｍ、外径６．６ｃｍ、ほぼ円柱状の外形のものである。
【００２６】
図３は、本発明の飲食物配送セットの一実施形態に係るフードボックスの構成例を示す図である。
図３に示すフードボックスＰは、注文されるプランによって飲食物の量が異なるため、サイズも異なる。例えばスタンダードプランであれば、奥行２２ｃｍ、幅２３ｃｍ、高さ１５ｃｍの段ボール箱等が配送用の容器として使用される。この場合の段ボールの厚みは、例えばＡフルート（約５ｍｍの厚さ）等である。
配送先のユーザの家Ｒで保管されるフードボックスＰは、衛生領域Ｂにおいて、配送対象の飲物（ビール等）が夫々封入された３本のビール缶Ｄのうち少なくとも１本（図３の例では３本）がフードボックスＰの下面（底面）の側に配置される。
そして、フードボックスＰにおいて、少なくとも１本のビール缶Ｄの上に、食べ物のパックＹ，Ｓ（及び付帯パックＣ）が配置されることで、当該食べ物のパックＹ，Ｓ（及び付帯パックＣ）は、フードボックスＰの下面から一定距離だけ離間して配置されることになる。
【００２７】
以下、図４乃至図１１を参照してフードボックスの内部の飲食物の配置条件やフードボックス自体のサイズの条件を様々に変えて温度変化を実測した事例を説明する。
まず、測定条件（前提条件１、前提条件２）を説明する。
（前提条件１）
プランは、スタンダードプランであり、同じ種類のドリンク（缶ビール）が３本、段ボール箱等のフードボックスＰ内におけるドリンクの配置場所は、段ボール箱の底面に缶ビールＤを横に寝かせて平行に並べた状態（平置き状態）とする。食べ物（食事）の内容は、ピンチョス４本、アラカルト９種、カップを含むお茶漬けセットとする。
温度データロガー（ＲＣ−５、Ｅｌｉｔｅｃｈ社製）を、段ボール箱の天面（裏面側）に貼り付けて固定して配置する。２乃至５°Ｃで温度を維持した冷蔵庫に１５時間保管する（保冷車Ｔの条件に合わせる）。
（前提条件２）
冷蔵庫で１５時間冷蔵保管したフードボックスＰを冷蔵庫から取り出し、室温で放置する。実測を実施した時期は、４月（室内温度は１５乃至２３°Ｃの範囲）である。フードボックスＰを室温で放置した状態を初期状態としてそれから約８時間経過したところで温度データロガーを回収し、温度の推移を確認する。
【００２８】
図４は、ドリンクあり／なしの状態で夫々飲食物セットを梱包したパッケージの温度変化を実測した実測データＫ１とそのグラフを示す図である。
図４に示すように、実測データＫ１において、実測時の外気温は、初期温度が２０．２°Ｃであり、１時間経過後には、２１°Ｃになり、２時間経過後には、２０．８°Ｃになり、３時間経過後には、２１．３°Ｃに達した。
ドリンクなしの場合、初期温度が７．１°Ｃであり、１時間経過後には、１７．１°Ｃになり、２時間経過後には、１８．７°Ｃになり、３時間経過後には、ほぼ室温の２０°Ｃに達した。
一方、ドリンクありの場合、初期温度が６．３°Ｃであり、１時間経過後には、１５．６°Ｃになり、２時間経過後にも１６．９°Ｃと１６°Ｃ台を維持し、３時間経過後にも室温よりも低い１８°Ｃを維持した。
まとめると、１時間経過したところで、ドリンクありは、ドリンクなしよりも１．５°Ｃ低い。２時間経過したところで、ドリンクありは、ドリンクなしよりも１．８°Ｃ低い。３時間経過したところで、ドリンクありは、ドリンクなしよりも２°Ｃ低い。
このことから、ドリンクとセットで梱包した方が、保冷力が高いことが実証された。
【００２９】
図５は、違う大きさのパッケージ（基本セットの通常のサイズの箱（通常サイズ）とそれよりも大きなサイズの箱（箱大））で温度変化を測定したデータとグラフを示す図である。
図５に示すように、実測データＫ２において、実測時の外気温は、初期温度が２２．３°Ｃであり、１時間経過後には、２２．９°Ｃになり、２時間経過後には、２２．９°Ｃと変わらず、３時間経過後には、２２．７°Ｃになった。
箱大の場合、初期温度が６．５°Ｃであり、１時間経過後には、１８．１°Ｃになり、２時間経過後には、１９．７°Ｃになり、３時間経過後には、室温を超える温度の２０．５°Ｃに達した。
一方、通常サイズの場合、初期温度が６．６°Ｃであり、１時間経過後には、１５．３°Ｃになり、２時間経過後にも１７．５°Ｃと１７°Ｃ台を維持し、３時間経過後にも室温よりも低い１８．７°Ｃを維持した。
まとめると、１時間経過したところで、通常サイズの場合は、箱大の場合よりも２．８°Ｃ低い。２時間経過したところで、通常サイズの場合は、箱大の場合よりも２．２°Ｃ低い。３時間経過したところで、通常サイズの場合は、箱大の場合よりも１．８°Ｃ低い。
このことから、箱の内部の収容物の密度の高い方が、保冷のキープ力が高いことが実証された。
【００３０】
図６は、ドリンクの数を変えて（通常のドリンク３本のセット（通常）と通常よりもドリンクの本数が少ないセット（１本）で）温度変化を測定したデータとグラフを示す図である。
図６に示すように、実測データＫ３において、実測時の外気温は、初期温度が２２．２°Ｃであり、１時間経過後には、２２．８°Ｃになり、２時間経過後には、２２．７°Ｃになり、３時間経過後には、２１．９°Ｃになった。
１本の場合、初期温度が２°Ｃであり、１時間経過後には、１６．２°Ｃになり、２時間経過後には、１６．８°Ｃになり、３時間経過後には、１７．５°Ｃであった。
一方、通常の場合、初期温度が１．４°Ｃであり、１時間経過後には、１２．８°Ｃになり、２時間経過後には、１４°Ｃになり、３時間経過後にも１５．２°Ｃを維持した。
まとめると、１時間経過したところで、通常の３本の場合は、１本よりも３．４°Ｃ低い。２時間経過したところで、通常の３本の場合は、１本よりも２．８°Ｃ低い。３時間経過したところで、通常の３本の場合は、１本よりも２．３°Ｃ低い。
このことから、ドリンク１本よりもドリンク３本の方が、保冷力が高いことが実証された。
【００３１】
図７は、ドリンクの数を変えて（通常のドリンク３本のセット（通常）と通常よりもドリンクの本数が少ないセット（２本）で）温度変化を測定したデータとグラフを示す図である。
図７に示すように、実測データＫ４において、実測時の外気温は、初期温度が２２．２°Ｃであり、１時間経過後には、２２．８°Ｃになり、２時間経過後には、２２．７°Ｃとほぼ変わらず、３時間経過後には、２１．９°Ｃに下がった。
ドリンクの本数が少ない２本セットの場合、初期温度が３．１°Ｃであり、１時間経過後には、１５．４°Ｃになり、２時間経過後には、１６．３°Ｃになり、３時間経過後には、１７．３°Ｃであった。
一方、通常の３本セットの場合、初期温度が１．４°Ｃであり、１時間経過後には、１２．８°Ｃになり、２時間経過後には、１４°Ｃになり、３時間経過後にも１５．２°Ｃを維持した。
まとめると、１時間経過したところで、通常の３本セットの場合は、２本セットよりも２．６°Ｃ低い。２時間経過したところで、通常の３本セットの場合は、２本セットよりも２．３°Ｃ低い。３時間経過したところで、通常の３本セットの場合は、２本セットよりも２．１°Ｃ低い。
このことから、ドリンク２本よりもドリンク３本の方が、保冷力が高いことが実証された。
【００３２】
図８は、ドリンクの配置の仕方を変えて（通常のドリンク３本を箱の底面側に配置したセット（通常）とドリンク２本を底面側に配置し残りの１本を食べ物の上に配置した場合（１本配置換え））温度変化を測定したデータとグラフを示す図である。
図８に示すように、実測データＫ５において、実測時の外気温は、初期温度が１８．５°Ｃであり、１時間経過後には、１８．４°Ｃになり、２時間経過後には、１９°Ｃになり、３時間経過後には、１９．５°Ｃになった。
ドリンク３本を底面側に配置した通常の場合、初期温度が４．８°Ｃであり、１時間経過後には、１４．６°Ｃになり、２時間経過後には、１７．２°Ｃになり、３時間経過後には、１８．６°Ｃであった。
一方、１本配置換えの場合、初期温度が５．２°Ｃであり、１時間経過後には、１４°Ｃになり、２時間経過後には、１６．７°Ｃになり、３時間経過後にも１８．２°Ｃであった。
まとめると、１時間経過したところで、通常の３本底面配置の場合は、１本配置換えよりも０．５°Ｃ高い。２時間経過したところで、通常の３本底面配置の場合は、１本配置換えよりも０．６°Ｃ高い。３時間経過したところで、通常の３本の場合は、１本配置換えよりも０．４°Ｃ高い。
このことから、１本配置換え（ドリンク１本上部配置）の方が通常の配置（ドリンク３本底面配置）よりも保冷力がわずかに高いことが実証された。
その理由は、上部に配置されたドリンクから下部に対して冷気が回り込むと共に、上部と下部の夫々のドリンクにより上下から挟み込んで冷却することになり、ドリンクの保冷剤としての保冷機能を強化させることができるからであると思われる。
【００３３】
図９は、パッケージの封止の仕方を変えて（通常のテーピングによる固着（通常）と、ボンドによる固着（ボンド）で）温度変化を測定した実測データＫ６とグラフを示す図である。
図９に示すように、実測データＫ６において、実測時の外気温は、初期温度が２２．３°Ｃであり、１時間経過後には、２２．９°Ｃになり、２時間経過後には、２２．９°Ｃを維持し、３時間経過後には、２２．７°Ｃになった。
ボンドの場合、初期温度が６．３°Ｃであり、１時間経過後には、１６．１°Ｃになり、２時間経過後には、１８°Ｃになり、３時間経過後には、１９°Ｃになった。
一方、通常の場合、初期温度が６．６°Ｃであり、１時間経過後には、１５．３°Ｃになり、２時間経過後には、１７．５°Ｃになり、３時間経過後にも１８．７°Ｃになった。
まとめると、１時間経過したところで、通常の場合は、ボンドの場合よりも０．８°Ｃ低い。２時間経過したところで、通常の場合は、ボンドの場合よりも０．５°Ｃ低い。３時間経過したところで、通常の場合は、ボンドの場合よりも０．３°Ｃ低い。
このことから、ボンド固着よりも通常のテーピングの場合の方が、保冷力が高いことが実証された。
【００３４】
図１０は、パッケージの中に保冷剤を５個入れた場合（保冷剤５個）と、保冷剤を入れない場合（通常）とで夫々飲食物セットを梱包したパッケージの温度変化を実測した実測データＫ７とそのグラフを示す図である。
なお、この実測の例では、初期状態になる前に、事前に冷蔵庫に４０時間冷蔵しておき、保冷配送の環境を再現している。
図１０に示すように、実測データＫ７において、実測時の外気温は、初期温度が２２．２°Ｃであり、１時間経過後には、２２．８°Ｃになり、２時間経過後には、２２．７°Ｃになり、３時間経過後には、２１．９°Ｃになった。
保冷剤なしの通常の場合、初期温度が１．４°Ｃであり、１時間経過後には、１２．８°Ｃになり、２時間経過後には、１４°Ｃになり、３時間経過後には、１５．２°Ｃになった。
一方、保冷剤５個の場合、初期温度が４°Ｃであり、１時間経過後には、１５．６°Ｃになり、２時間経過後には、１６．６°Ｃになり、３時間経過後には、１７．４°Ｃになった。
まとめると、１時間経過したところで、保冷剤なしの通常の場合は、保冷剤５個の場合よりも２．８°Ｃ低い。２時間経過したところで、保冷剤なしの通常の場合は、保冷剤５個の場合よりも２．６°Ｃ低い。３時間経過したところで、保冷剤なしの通常の場合は、保冷剤５個の場合よりも２．２°Ｃ低い。
このことから、保冷剤ありの場合よりも保冷剤なしの通常の場合の方が、保冷力が高いことが実証された。
【００３５】
図１１は、パッケージの温度ではなく、食品自体の温度の変化を実測した実測データＫ８を示す図である。
なお、この実測の例では、食品として、例えば食パンを用い、２枚の食パンの間の中心位置に温度計を仕込んだ状態で脱気パックの機械で脱気パックし、そのパック品をフードボックスＰ（段ボール箱）に収納している。
フードボックスＰに収容する内容物としては、通常の飲食物セット（通常）と、通常の飲食物セットからドリンクを除いたセット（ドリンク無し）と、図８の実測例のドリンクの配置を変えたセット（配置換え）の３つのケースについて夫々実測した。
図１１に示すように、実測データＫ８において、実測時の外気温は、初期温度が２２．２°Ｃであり、１時間経過後には、２２．８°Ｃになり、２時間経過後には、２２．７°Ｃになり、３時間経過後には、２１．９°Ｃになった。
通常の場合、初期温度が６．４°Ｃであり、１時間経過後には、８．５°Ｃになり、２時間経過後には、１１．９°Ｃになり、３時間経過後には、１４．１°Ｃになった。
ドリンク無しの場合、初期温度が３．８°Ｃであり、１時間経過後には、１０°Ｃになり、２時間経過後には、１４．４°Ｃになり、３時間経過後には、１６．５°Ｃになった。
配置換えの場合、初期温度が３．７°Ｃであり、１時間経過後には、６．９°Ｃになり、２時間経過後には、１１．１°Ｃになり、３時間経過後には、１３．８°Ｃになった。
まとめると、１時間経過したところで、ドリンクありの通常と配置換えの場合は、ドリンク無しの場合よりも１．５乃至３．１°Ｃ程度低い。２時間経過したところで、ドリンクありの通常と配置換えの場合は、ドリンク無しの場合よりも２．５乃至３．３°Ｃ低い。３時間経過したところで、ドリンクありの通常と配置換えの場合については、ドリンク無しの場合よりも２．４乃至２．７°Ｃ程度低く温度が維持されている、という結果が得られた。
このことから、ドリンクなしよりもドリンクあり（通常と配置換え）の方が、食品の中心温度が低いことが実証された。
【００３６】
このように本実施形態によれば、注文を受けた食材の用意から、調理、調理済みの飲食物をパッケージング、各参加者の家に配送、その後の食事の時刻までの保管等を含む過程の中で、飲食物の品質を保証することができるようになり、参加者に保冷管理を義務付ける必要なくオンライン飲み会を開催し、参加者が会話と飲食を楽しむことができる。
即ち、ドリンクと食事を家で楽しみたいというユーザのニーズに十分応えることができるビジネスを実現することができる。
【００３７】
以上、本発明の一実施形態について説明したが、本発明は、上述の実施形態に限定されるものではなく、本発明の目的を達成できる範囲での変形、改良等は本発明に含まれるものである。
【００３８】
上記実施形態では、衛生領域Ｂ（図１参照）として、例えば食品加工工場の衛生管理が行き届いた調理室等を例示したが、これ以外の場所であってもよく、衛生領域であれば足りる。
上記実施形態では、移動体（例えば図１の保冷車Ｔ等）で配送される際に維持される飲食物の温度は例えば２乃至５°Ｃ等と例示したが、特にこれに限定されず、サービス提供者等により予め設定された第１温度以下であればよい。ここで、第１温度とは、配送先の温度を第２温度（上述の例では例えば２０℃）した場合において当該第２温度よりも低い温度であれば足り、例えば１０℃等を採用することができる。
上記実施形態では、第１包装を缶ビール３缶の例とし、第２包装を焼き鳥セットのパックＹ、つまみ折詰セットのパックＳ、お茶づけセットのパックＯとしたが、これ以外の飲物や食べ物の包装であってもよく、第１包装と第２包装であれば足りる。
【００３９】
以上を換言すると、本発明が適用される飲食物配送方法は、次のようなステップを有していれば足り、各種各様な実施の形態を取ることができる。
【００４０】
即ち、本発明が適用される飲食物配送方法は、
飲食物を、第１温度（例えば１０℃）以下（例えば２乃至５°Ｃ程度の範囲等）で維持しながら移動体（例えば図１の保冷車Ｔ等）で配送して、第１温度よりも高い第２温度（例えば２０°Ｃ等）の配送先（例えば図１のユーザの家Ｒ１乃至Ｒｎ等）で配置する飲食物配送方法において、
衛生領域（例えば図１の衛生領域Ｂ等）にて、配送対象の飲物（例えばジュース、ビール等の液体飲料等）が夫々封入されたＮ個（Ｎは１以上の整数値）の第１包装（例えばビール缶Ｄ）と、配送対象の食べ物（例えば図１の焼き鳥、つまみ折詰セット、お茶づけ等）が封入されたＭ個（Ｍは１以上の整数値）の第２包装（例えば図１のパックＹ、Ｓ、Ｏ等）とを用意する飲食物用意ステップ（例えば図１のステップＳ２Ａ、Ｓ２Ｂ）と、
前記衛生領域（例えば図１の衛生領域Ｂ等）にて、配送用の容器（例えば図１のフードボックスＰ１乃至Ｐｎ等）が配送先（ユーザの家Ｒ１乃至Ｒｎ）で配置される側を下面として、当該容器（例えば図１のフードボックスＰ１乃至Ｐｎ等）に対して、前記Ｍ個の第２包装の少なくとも一部の下に、前記Ｎ個の第１包装のうち少なくとも１つを配置させることで、前記第１包装（ビール缶Ｄ）の高さ以上の距離（ビール缶Ｄを横置きした高さ７ｃｍ程度等）だけ前記下面から離間して前記Ｍ個の第２包装のうち少なくとも一部を配置させた状態（例えば図１や図３に示すようにパックＹ、Ｓ、Ｏを配置させた状態）で、前記容器（例えば図１のフードボックスＰ１乃至Ｐｎ等）をパッケージするパッケージステップ（例えば図１のステップＳ２Ｃ）と、
前記Ｎ個の第１包装の夫々に封入された前記飲物（ビール缶Ｄ）を前記第１温度（例えば１０℃）以下（例えば２乃至５°Ｃ程度の範囲等）で維持させることが可能な前記移動体（例えば図１の保冷車Ｔ）で、前記容器（例えば図１のフードボックスＰ１乃至Ｐｎ等）を前記配送先（ユーザの家Ｒ１乃至Ｒｎ）まで配送する配送ステップ（例えば図１の配送ステップＳ３）と、
前記第Ｎ個の第１包装（ビール缶Ｄ）の夫々を保冷剤として機能させながら、前記第２温度の配送先（ユーザの家Ｒ１乃至Ｒｎ）で配置する配置ステップ（例えば図１の保管ステップＳ４）と、
を含む。
即ち、注文された飲食物の用意からパッケージ、配送、配置の一連の温度と品質を管理することができる、という第１効果、即ち感染リスク低減の効果を奏することができる。
【００４１】
また、パッケージステップＳ２Ｃにおいて、容器に対して、Ｍ個の第２包装（パックＹ、Ｓ、Ｏ等）の少なくとも一部の下に、Ｎ個の第１包装（例えば３缶のビール缶Ｄ）のうち少なくとも１つを配置することで、第１包装（例えばビール缶Ｄ）の高さ以上の距離だけ下面から離間してＭ個の第２包装（パックＹ、Ｓ、Ｏ等）を配置させた状態（例えば図１や図３に示すように配置状態）で、容器をパッケージすることで、床面・地面Ｅから第２包装（パックＹ、Ｓ、Ｏ等）までの間に第１包装（ビール缶Ｄ）の高さの分の距離が取られるので、床面・地面Ｅからの食べ物への汚染や熱の伝達を防止することができ、後述の第３効果と相まって食べ物の劣化を防止することが可能になる。
即ち、第２効果（汚染及び地熱伝達防止効果）をより顕著なものとすることができる。
さらに、パッケージステップＳ２Ｃにおいて、さらに、Ｎ個の第１包装（例えばビール缶３缶等）のうち少なくとも１つ（１缶）を、Ｍ個の第２包装（例えば図１のパックＹ、Ｓ、Ｏ等）の上に配置させる。
これにより、Ｎ個の第１包装（例えばビール缶Ｄ下２缶と上１缶等）でＭ個の第２包装（例えば図１のパックＹ、Ｓ、Ｏ等）を上下から挟み込んで冷却することになり、配置ステップ（保管ステップＳ４等）における第１包装の保冷剤としての保冷機能を強化させることができる。即ち、第３効果（保冷効果）をより顕著なものとすることができる。
この結果、ドリンク（飲物）と食事（食べ物）を家で楽しみたいというユーザのニーズに応えることができるビジネス（フードボックスサービス）を実現することができる。
【００４２】
前記第１包装（例えばビール缶Ｄ等）は、
前記配送ステップ（例えば図１の配送ステップＳ３）における配送にかかる第１時間（例えば１５時間等）の間に、前記Ｎ個の第１包装（例えばビール缶Ｄ等）の夫々に封入された前記飲物（例えばビール等の液体飲料）が前記第１温度（例えば２乃至５°Ｃ等）以下になり、
かつ、
前記配置ステップ（例えば図１の保管ステップＳ４）における配置（ユーザの家Ｒでの常温保管等）にかかる第２時間（例えば２時間等）の間に、前記Ｎ個の第１包装（例えばビール缶等）の夫々に封入された前記飲物（例えばビール等の液体飲料等）が前記第２温度（例えば２０°Ｃ等）以上とならない熱伝導率（例えば６０乃至４５０Ｗ／ｍ・Ｋ、この例ではビール缶Ｄはアルミニウム製であり２３６Ｗ／ｍ・Ｋ等）を有する。
このような熱伝導率の第１包装（例えばビール缶Ｄ等）を用いることにより、配置（ユーザ宅Ｒでの常温保管等）にかかる第２時間（例えば２時間等）の間に、飲物（例えばビール等）が第２温度（例えば２０°Ｃ等）以上にはならないため、飲物と共に飲食物を冷蔵状態で配送し、第２時間（例えば２時間程度）の間、夫々の自宅に放置した場合でも耐え得る保冷機能を、第１包装に付与することが可能になる。
その結果、各参加者は、飲食物配送用容器（例えば図３のフードボックスＰ等）から飲食物を取り出し、テーブルに並べるだけで（冷凍保存のように電子レンジ等で解凍することなく）直ちにオンライン飲み会等を開催することができる。
【００４３】
本発明が適用される飲食物配送セットは、
衛生領域（例えば図１の衛生領域Ｂ等）にて配送対象の飲物（例えばジュース、ビール等の液体飲料等）が夫々封入されたＮ個（Ｎは１以上の整数値）の第１包装（例えばビール缶Ｄ等）と、
前記衛生領域にて配送対象の食べ物（例えば図１の焼き鳥、つまみ折詰セット、お茶づけ等）が封入されたＭ個（Ｍは１以上の整数値）が封入されたＭ個（Ｍは１以上の整数値）の第２包装（例えば図１のパックＹ、Ｓ、Ｏ等）と、
配送用の容器（例えば図１のフードボックスＰ１乃至Ｐｎ等）と、
を備え、
前記衛生領域（衛生領域Ｂ）において、前記容器（例えばフードボックスＰ１乃至Ｐｎ）が配送先（例えばユーザの家Ｒ１乃至Ｒｎ等）で配置される側を下面として、当該容器（フードボックスＰ１乃至Ｐｎ）に対して、前記Ｍ個の第２包装（例えば図１のパックＹ、Ｓ、Ｏ等）のうち少なくとも一部の下に、前記Ｎ個の第１包装（例えば３缶のビール缶Ｄ等）のうち少なくとも１つが配置されることで、前記第１包装（例えばビール缶Ｄ等）の高さ以上の距離だけ前記下面から離間して前記Ｍ個の第２包装（例えば図１のパックＹ、Ｓ、Ｏ等）のうち少なくとも一部を配置させた状態で、前記容器（例えばフードボックスＰ１乃至Ｐｎ等）がパッケージされることで生成される、
飲食物配送セットであって、
前記Ｎ個の第１包装（例えばビール缶Ｄ等）の夫々に封入された前記飲物（例えばジュース、ビール等の液体飲料等）を前記第１温度（例えば２乃至５°Ｃ等）以下で維持させることが可能な前記移動体（例えば図１の保冷車Ｔ等）で、前記容器（例えばフードボックスＰ１乃至Ｐｎ等）が前記配送先（例えばユーザの家Ｒ１乃至Ｒｎ等）まで配送された後、前記第１温度より高い前記第２温度（例えば２０°Ｃ等）の配送先（例えば図１のユーザの家Ｒ１乃至Ｒｎ等）で配置（常温等で保管）された場合において、前記第Ｎ個の第１包装（例えば３缶のビール缶Ｄ等）の夫々は保冷剤として機能する。
即ち、この飲食物配送セットによれば、注文された飲食物の用意からパッケージ、配送、配置の一連の温度と品質を管理することができる、という第１効果、即ち感染リスク低減の効果を奏することができる。
【００４４】
また、容器（例えばフードボックスＰ１乃至Ｐｎ等）に対して、Ｍ個の第２包装（パックＹ、Ｓ、Ｏ等）の少なくとも一部の下に、Ｎ個の第１包装（例えば３缶のビール缶Ｄ）のうち少なくとも１つを配置することで、第１包装（例えばビール缶Ｄ）の高さ以上の距離だけ下面から離間してＭ個の第２包装（パックＹ、Ｓ、Ｏ等）のうち少なくとも一部を配置させた状態（例えば図１や図３に示すように配置状態）で、容器をパッケージすることで、床面・地面Ｅから第２包装（パックＹ、Ｓ、Ｏ等）までの間に第１包装（例えばビール缶Ｄ等）の高さの分の距離が取られるので、床面・地面Ｅからの食べ物への汚染や熱の伝達を防止することができ、後述の第３効果と相まって食べ物の劣化を防止することが可能になる。即ち、第２効果（汚染及び地熱伝達防止効果）をより顕著なものとすることができる。
【００４５】
また、さらに、Ｎ個の第１包装（例えばビール缶Ｄ缶３缶等）のうち少なくとも１つ（１缶）を、Ｍ個の第２包装（例えば図１のパックＹ、Ｓ、Ｏ等）の上に配置させる。
これにより、上に配置された第１包装より下部に冷気が回り込むと共に、Ｎ個の第１包装（例えばビール缶Ｄ下２缶と上１缶等）でＭ個の第２包装（例えば図１のパックＹ、Ｓ、Ｏ等）を上下から挟み込んで冷却することになり、第１包装の保冷剤としての保冷機能を強化させることができる。即ち、第３効果（保冷効果）をより顕著なものとすることができる。
この結果、ドリンク（飲物）と食事（食べ物）を家で楽しみたいというユーザのニーズに応えることができるビジネス（フードボックスサービス）を実現することができる。
【符号の説明】
【００４６】
Ａ・・・ユーザ端末、Ｂ・・・衛生領域、Ｃ・・・箸セット、Ｅ・・・地面（床面）、Ｈ・・・高さ、Ｏ・・・カップに入れたお茶漬けのセット、Ｐ１乃至Ｐｎ・・・フードボックス、Ｓ・・・つまみ折詰セットのパック、Ｙ・・・焼き鳥のパック、Ｔ・・・保冷車、Ｒ、Ｒ１乃至Ｒｎ・・・ユーザの家
【図１】
2022002095.tif 000003
【図２】
2022002095.tif 000004
【図３】
2022002095.tif 000005
【図４】
2022002095.tif 000006
【図５】
2022002095.tif 000007
【図６】
2022002095.tif 000008
【図７】
2022002095.tif 000009
【図８】
2022002095.tif 000010
【図９】
2022002095.tif 000011
【図１０】
2022002095.tif 000012
【図１１】
2022002095.tif 000013